(57)【要約】【課題】  粉体塗装用塗料等の各種塗料が付着したハンガーの再生処理を能率よく行うことができ、しかも処理作業の安全性を十分に確保できる塗装用ハンガーの再生用熱処理装置の提供。【解決手段】  塗装用塗料が付着したハンガーを筒形炉内に吊り下げた状態で加熱し塗装用塗料を気化させる熱処理装置であって、筒形炉の内部に、外周面に多数の燃焼用空気の噴射孔を有する通風管が垂設され、炉体内壁に沿うように吊架した多数の金属製の棒状フックを介して吊り下げたハンガー群を、前記筒形炉内に供給される燃焼用空気と燃料により加熱する構成となしたことを特徴とする。【選択図】図１
2011255334.tif 000002
【特許請求の範囲】
【請求項１】
塗装用塗料が付着したハンガーを筒形炉内に吊り下げた状態で加熱し塗装用塗料を気化させる熱処理装置であって、筒形炉の内部中央に、外周面に多数の燃焼用空気の噴射孔を有する通風管が垂設され、該筒形炉の下部には燃料供給ノズルと着火用バーナーが配設され、さらに炉体上部には当該炉体開口部を閉鎖する開閉式の蓋体と排気筒を有し、炉体上部に吊架した多数の金属製の棒状フックを介して炉内に吊り下げたハンガー群を加熱する構成となしたことを特徴とする塗装用ハンガーの再生用熱処理装置。
【請求項２】
前記金属製の棒状フックは、所望長さの一本の金属棒に塗装用ハンガーを吊り下げる係止突起が間隔をおいて複数個設けられ、かつ上端部に炉体の上部開口端部に引っ掛ける係止部が形成された構造となしていることを特徴とする請求項１に記載の塗装用ハンガーの再生用熱処理装置。
【発明の詳細な説明】
【技術分野】
【０００１】
本発明は、各種部品や物品に塗装を施す際に使用する塗装用ハンガーの再生処理装置に係り、より詳しくは各種部品や物品を塗装用ハンガーに吊り下げて塗装を施す際に該塗装用ハンガー表面に付着した塗料を熱により気化させて当該ハンガーを再使用できるようにするための塗装用ハンガーの再生用熱処理装置に関するものである。
【背景技術】
【０００２】
例えば、ガスボンベの製造においては、バルブをガスボンベ本体に取付けた後、防食のための粉体塗装を施し、次いで、粉体塗装塗膜の焼付け硬化処理を行う方法がとられる。この方法における粉体塗装としては、例えば静電塗装装置による方法が知られている。静電塗装装置は、粉体スプレーガン、塗料供給槽、高電圧発生器等から構成され、また、使用する粉体塗装用塗料としては、エポキシ樹脂系、ポリエステル樹脂系、アクリル樹脂系等の熱硬化性樹脂、熱可塑性樹脂が用いられる。この熱硬化性樹脂や熱可塑性樹脂を用いて前記粉体静電塗装装置により、例えばガスボンベ本体に粉体塗装を施す場合は、ガスボンベ本体をハンガーに吊り下げ、その吊り下げられたガスボンベ本体に粉体スプレーガンにて塗料を吹付ける方法等が用いられる（特許文献１参照）。
【０００３】
このガスボンベ本体等の粉体塗装に使用される前記ハンガーとしては、例えば図４に示す構造のものが知られている。図４に示すハンガー１１は、所望長さのパイプからなるハンガー本体１１−１の上端部に吊り輪１１−２が、下端部に例えばガスボンベ本体の上端部に結合するための接続用雄ねじ１１−３が、それぞれ取付けられた構造となしたもので、吊り輪１１−２及び接続用雄ねじ１１−３はそれぞれ溶接等によりハンガー本体１１−１に固着されている。
【先行技術文献】
【特許文献】
【０００４】
【特許文献１】特開２００３−５３２５７号公報
【発明の概要】
【発明が解決しようとする課題】
【０００５】
しかし、前記したハンガー１１を用いてガスボンベ本体等に粉体塗装を施す方法においては、粉体スプレーガンによりボンベ等に吹付けられる熱可塑性樹脂等の粉体塗装用塗料が、被塗装物体のみならずハンガー１１にも付着し、次第に該ハンガー本体１１−１及び吊り輪１１−２等、ハンガー全体に粉体塗装用塗料が付着堆積し、そのハンガー１１の再使用が困難になることがある。このような場合には、粉体塗装用塗料が付着堆積した多数のハンガーを底の浅い容器内に縦向きあるいは横向きに積み重ねるようにして入れ、その状態のまま使用済みのドラム缶の中で、作業者がガスバーナーの火炎を上方から吹付けて付着塗料を気化させてハンガーを再生する方法がとられるのが一般的である。しかし、この方法は一度に多数のハンガーを加熱することは可能であっても、ドラム缶内の容器内に積み重ねられたハンガーに対しては該ドラム缶の開口部よりガスバーナーの火炎を吹付けるだけであるから、火炎により加熱されて付着塗料が効果的に気化されるのは、容器内に積み重ねられたハンガーのうち、直接的にガスバーナーの火炎が当たる上層部あるいは上段のハンガーのみに限られ、下層部や下段のハンガーは十分に加熱されずに付着塗料が残存したままとなり、全体的に満遍なく付着塗料を気化させることができないという問題があった。また、この作業は、ハンド型のガスバーナーを使用して行うため、付着塗料の除去に多くの労力と時間を要し極めて非能率的であるのみならず、安全性の面でも問題があった。
【０００６】
本発明は、従来の前記実状に鑑みてなされたもので、粉体塗装用塗料等の各種塗料が付着したハンガーの再生処理を能率よく行うことができ、しかも処理作業の安全性を十分に確保できる塗装用ハンガーの再生用熱処理装置を提供しようとするものである。
【課題を解決するための手段】
【０００７】
本発明に係る塗装用ハンガーの再生用熱処理装置は、塗装用塗料が付着したハンガーを筒形炉内に吊り下げた状態で加熱し塗装用塗料を気化させる熱処理装置であり、その要旨は、筒形炉の内部中央に、外周面に多数の燃焼用空気の噴射孔を有する通風管が垂設され、該筒形炉の下部には燃料供給ノズルと着火用バーナーが配設され、さらに炉体上部には当該炉体開口部を閉鎖する開閉式の蓋体と排気筒を有し、炉体上部に吊架した多数の金属製の棒状フックを介して炉内に吊り下げたハンガー群を加熱する構成となしたことを特徴とするものである。
【０００８】
また、本発明装置の前記金属製の棒状フックは、所望長さの一本の金属棒に塗装用ハンガーを吊り下げる係止突起が間隔をおいて複数個設けられ、かつ上端部に炉体の上部開口端部に引っ掛ける係止部が形成された構造となしたものが好ましい。
【発明の効果】
【０００９】
本発明の塗装用ハンガーの再生用熱処理装置によれば、再生処理を必要とする多数のハンガーを炉内に層状に重ならないように単独に吊り下げた状態で加熱処理することができるので、塗装用塗料が付着したハンガーの再生処理を均一にかつ能率よく行うことができるのみならず、処理作業の安全性を十分に確保することができる。また本発明装置は、運転／停止、燃焼制御、温度制御等は制御盤によりボタン操作で制御することができるので、現場では再生処理を必要とするハンガーを炉内にセットしてボタン操作するだけの作業で済み、塗装用ハンガーの再生処理の簡易迅速化と作業者の疲労の軽減をはかることができる。なお、本発明装置は、ガスボンベ以外の各種部品や物品の塗装用ハンガーの再生処理にも適用できることはいうまでもない。
【図面の簡単な説明】
【００１０】
【図１】本発明の一実施例に係る塗装用ハンガー再生用熱処理装置の全体構成を示す概略図である。
【図２】同上の塗装用ハンガー再生用熱処理装置における棒状フックを拡大して示す斜視図である。
【図３】同上の塗装用ハンガー再生用熱処理装置に塗装用ハンガーを吊り下げた状態を示す一部拡大断面図である。
【図４】本発明における塗装用ハンガーの一例を示す正面図である。
【発明を実施するための形態】
【００１１】
図１〜図３に示す本発明の一実施例の塗装用ハンガー再生用熱処理装置は、大きく分けて、塗装用ハンガー１１を加熱処理する筒形炉１、該筒形炉１の内部中央に垂直に垂設した通風管２、燃焼用空気送風機３、燃料供給ノズル４、着火用バーナー５、塗装用ハンガー１１を吊り下げる金属製の棒状フック６とから構成されている。
前記筒形炉１は、所望高さの円筒状の炉体１−１からなり、基台１−２の上に耐熱煉瓦製の底盤１−３を介して垂直に立設され、炉体１−１の上部開口端面には塗装用ハンガー１１を吊り下げる金属製の棒状フック６を係止するための係止用凹溝１−４が円周上に等間隔に設けられ、該炉体１−１の頂面には開閉式の蓋体１−５が取付けられ、さらに炉体上部に排気筒１−６が付設されている。通風管２は、外周壁の長さ方向および円周方向に多数の燃焼用空気の噴射孔２−１を有し、筒形炉１の外側に設置した燃焼用空気送風機３に炉体側壁を水平に貫通して接続された空気配管３−１を介して該筒形炉１の内部中央部に垂設された構造となっている。筒形炉１の下部には燃料供給ノズル４と着火用バーナー（パイロットバーナー）５が配設されている。
塗装用ハンガー１１を吊り下げる金属製の棒状フック６は、図２に拡大して示すように、所望長さの一本の金属棒６−１に塗装用ハンガー１１の吊り輪１１−２を引っ掛ける係止突起６−２が長さ方向に所望の間隔を隔てて複数個設けられ、かつ金属棒６−１の上端部には炉体１−１の上部開口端面に設けた係止用凹溝１−４に引っ掛ける係止部６−３が形成された構造となしている。前記係止突起６−２は、金属棒６−１の下端部を屈曲して形成した係止突起６−２を除いて当該金属棒６−１に溶接により固着されている。
【００１２】
なお、上記構成の塗装用ハンガー再生用熱処理装置の運転／停止、燃焼制御、温度制御等は制御盤によりボタン操作で制御することができるように構成されていることはいうまでもない。また、より安全性を高めるため、炉体１−１の外周面に円筒状の金属製防護網７を付設してもよい。
【００１３】
上記構成の塗装用ハンガー再生用熱処理装置により塗装用ハンガー１１を加熱処理する場合は、筒形炉１の天井部に設置されている開閉式の蓋体１−５を開き、炉外で金属製の棒状フック６の係止突起６−２に塗装用ハンガー１１の吊り輪１１−２を引っ掛けて該ハンガー１１を吊下げた状態で、炉体１−１の上部開口端面に設けた係止用凹溝１−４に当該棒状フック６を一本ずつ吊架し、炉体１−１の内壁に沿って塗装用ハンガー１１を吊り下げる。
このようにして塗装用ハンガー１１を炉内にセットすると、開閉式の蓋体１−５を閉じた後、通風管２及び燃料供給ノズル４からそれぞれ燃焼用空気と燃料（ガス、灯油、Ａ重油等）を炉内に供給すると同時に着火用バーナー５により着火し、炉内を所定の温度に保持して塗装用ハンガー１１に付着している塗料を気化させる。この時、炉内では通風管２より噴出する燃焼用空気と燃料供給ノズル４から供給される燃料により、炉体の上下及び円周方向に発生する火炎により各棒状フック６に吊り下げられた塗装用ハンガー１１が全体にわたり均一に加熱され、炉内の塗装用ハンガー１１群の付着塗料が全て満遍なく気化される。また、加熱処理中に炉内に発生する排ガスは、炉体上部の排気筒１−６から大気に放出される。
加熱処理後は、再び開閉式の蓋体１−５を開き、炉内の各棒状フック６を塗装用ハンガー１１と共に炉外へ取り出し、再生処理を終えた塗装用ハンガーを棒状フック６より取外す。
よって、この塗装用ハンガー再生用熱処理装置によれば、塗装用塗料が付着した多数のハンガーの再生処理を一度に均一かつ能率よく行うことができるのみならず、処理作業の安全性も十分に確保することができる。
【００１４】
なお、ここではガスボンベ用の塗装用ハンガーを例にとり説明したが、本発明装置はガスボンベ用の塗装用ハンガー以外の他の各種部品や物品の塗装用ハンガーの再生処理にも適用可能であることはいうまでもない。
【産業上の利用可能性】
【００１５】
本発明の塗装用ハンガー再生用熱処理装置は、再生処理を必要とする多数のハンガーを一度に炉内で加熱むらなく均一に加熱処理することができるので、塗装用塗料が付着したハンガーの再生処理を能率よく行うことができるのみならず、処理作業の安全性を十分に確保することができる。また、本発明装置は、運転／停止、燃焼制御、温度制御等は制御盤によりボタン操作で制御することができるので、現場では再生処理を必要とするハンガーを炉内にセットしてボタン操作するだけの作業で済み、塗装用ハンガーの再生処理の簡易迅速化と作業者の疲労の軽減をはかることができる。したがって、本発明装置は、ガスボンベ用の塗装用ハンガーのみならず、その他各種部品や物品の塗装用ハンガーの再生処理手段として極めて有用性に富むものである。
【符号の説明】
【００１６】
１  筒形炉
１−１  炉体
１−２  基台
１−３  底盤
１−４  係止用凹溝
１−５  蓋体
１−６  排気筒
２  通風管
２−１  噴射孔
３  燃焼用空気送風機
３−１  空気配管
４  燃料供給ノズル
５  着火用バーナー
６  棒状フック
６−１  金属棒
６−２  係止突起
６−３  係止部
７  金属製防護網
１１  塗装用ハンガー
１１−１  ハンガー本体
１１−２  吊り輪
１１−３  接続用雄ねじ
【図１】
2011255334.tif 000003
【図２】
2011255334.tif 000004
【図３】
2011255334.tif 000005
【図４】
2011255334.tif 000006